【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】
印刷要求ジョブを受け付ける印刷ジョブ受付手段と、
受け付けた前記印刷要求ジョブに従って印刷を実行して排紙トレイに出力紙を出力する印刷実行手段と、
前記排紙トレイに前記出力紙があるか否かを検知する出力紙検知手段と、
前記出力紙検知手段が排紙トレイから出力紙が取り除かれたことを検知した場合、取り除かれた出力紙の中に複数の印刷要求に対する印刷物が混合している可能性があるか否かを判定する印刷物混合判定手段と、
前記印刷物混合判定手段が、取り除かれた出力紙の中に複数の印刷要求に対する印刷物が混合している可能性があると判定した場合、警告情報を出力する印刷物混合警告手段と
を備えることを特徴とする画像形成装置。
【請求項２】
前記印刷物混合警告手段が、音声によって前記警告情報を出力することを特徴とする請求項１記載の画像形成装置。
【請求項３】
前記印刷物混合警告手段が、画面表示によって前記警告情報を出力することを特徴とする請求項１又は２に記載の画像形成装置。
【請求項４】
印刷が実行された前記印刷要求ジョブを発行したユーザのリストを保持する印刷完了ユーザ管理手段をさらに備え、
前記印刷実行手段が印刷を実行する前に、前記出力紙検知手段が前記排紙トレイに出力紙がないことを検知した場合、前記印刷完了ユーザ管理手段は、保持するユーザのリストをリセットし、
前記出力紙検知手段が前記排紙トレイから出力紙が取り除かれたことを検知した場合であって、前記印刷完了ユーザ管理手段が２以上のユーザのリストを保持する場合、前記印刷物混合判定手段は、取り除かれた出力紙の中に複数ユーザからの印刷要求に対する印刷物が混合している可能性があると判定する
ことを特徴とする請求項１から３までのいずれか１項に記載の画像形成装置。
【請求項５】
印刷が実行された前記印刷要求ジョブ数を印刷ジョブ完了数としてカウントする印刷完了数管理手段をさらに備え、
前記印刷実行手段が印刷を実行する前に、前記出力紙検知手段が前記排紙トレイ上に出力紙がないことを検知した場合、前記印刷完了数管理手段は、保持する印刷ジョブ完了数を０にリセットし、
前記出力紙検知手段が前記排紙トレイから出力紙が取り除かれたことを検知した場合であって、前記印刷完了数管理手段が２以上の印刷ジョブ完了数を保持する場合、前記印刷物混合判定手段は、取り除かれた出力紙の中に複数ユーザからの印刷要求に対する印刷物が混合している可能性があると判定する
ことを特徴とする請求項１から４までのいずれか１項に記載の画像形成装置。
【請求項６】
ネットワークを介して前記印刷要求ジョブを出力する少なくとも１台以上のコンピュータに接続可能であることを特徴とする請求項１から４までのいずれか１項に記載の画像形成装置。
【請求項７】
通信回線を介して接続可能なファクシミリ機能を備えることを特徴とする請求項１、２、３、５のいずれか１項に記載の画像形成装置。
【請求項８】
印刷要求ジョブを受け付ける印刷ジョブ受付手段と、受け付けた前記印刷要求ジョブに従って印刷を実行して排紙トレイに出力紙を出力する印刷実行手段とを備えた画像形成装置の画像形成方法であって、
前記排紙トレイに前記出力紙があるか否かを検知する出力紙検知工程と、
前記出力紙検知工程で排紙トレイから出力紙が取り除かれたことが検知された場合、取り除かれた出力紙の中に複数の印刷要求に対する印刷物が混合している可能性があるか否かを判定する印刷物混合判定工程と、
前記印刷物混合判定工程で取り除かれた出力紙の中に複数の印刷要求に対する印刷物が混合している可能性があると判定された場合、警告情報を出力する印刷物混合警告工程と
を有することを特徴とする画像形成方法。
【請求項９】
前記印刷物混合警告工程が、音声によって前記警告情報を出力することを特徴とする請求項８記載の画像形成方法。
【請求項１０】
前記印刷物混合警告工程が、画面表示によって前記警告情報を出力することを特徴とする請求項８又は９に記載の画像形成方法。
【請求項１１】
印刷が実行された前記印刷要求ジョブを発行したユーザのリストを保持する印刷完了ユーザ管理工程をさらに有し、
前記印刷実行手段による印刷実行前に、前記出力紙検知工程で前記排紙トレイに出力紙がないことが検知された場合、前記印刷完了ユーザ管理工程は、保持するユーザのリストをリセットし、
前記出力紙検知工程が前記排紙トレイから出力紙が取り除かれたことを検知した場合であって、前記印刷完了ユーザ管理工程が２以上のユーザのリストを保持する場合、前記印刷物混合判定工程は、取り除かれた出力紙の中に複数ユーザからの印刷要求に対する印刷物が混合している可能性があると判定する
ことを特徴とする請求項８から１０までのいずれか１項に記載の画像形成方法。
【請求項１２】
印刷が実行された前記印刷要求ジョブ数を印刷ジョブ完了数としてカウントする印刷完了数管理工程をさらに有し、
前記印刷実行手段による印刷実行前に、前記出力紙検知工程で前記排紙トレイ上に出力紙がないことが検知された場合、前記印刷完了数管理工程は、保持する印刷ジョブ完了数を０にリセットし、
前記出力紙検知工程が前記排紙トレイから出力紙が取り除かれたことを検知した場合であって、前記印刷完了数管理工程が２以上の印刷ジョブ完了数を保持する場合、前記印刷物混合判定工程は、取り除かれた出力紙の中に複数ユーザからの印刷要求に対する印刷物が混合している可能性があると判定する
ことを特徴とする請求項８から１１までのいずれか１項に記載の画像形成方法。
【請求項１３】
印刷要求ジョブを受け付ける印刷ジョブ受付手段と、受け付けた前記印刷要求ジョブに従って印刷を実行して排紙トレイに出力紙を出力する印刷実行手段に接続可能なコンピュータに、
前記排紙トレイに前記出力紙があるか否かを検知する出力紙検知手順と、
前記出力紙検知手順で排紙トレイから出力紙が取り除かれたことが検知された場合、取り除かれた出力紙の中に複数の印刷要求に対する印刷物が混合している可能性があるか否かを判定する印刷物混合判定手順と、
前記印刷物混合判定手順で取り除かれた出力紙の中に複数の印刷要求に対する印刷物が混合している可能性があると判定された場合、警告情報を出力する印刷物混合警告手順と
を実行させることを特徴とするプログラム。
【請求項１４】
請求項１３記載のプログラムを格納したことを特徴とするコンピュータ読み取り可能な記録媒体。
【手続補正２】
【補正対象書類名】明細書
【補正対象項目名】０００９
【補正方法】変更
【補正の内容】
【０００９】
【課題を解決するための手段】
上記課題を解決するために、本発明に係る画像形成装置は、印刷要求ジョブを受け付ける印刷ジョブ受付手段と、受け付けた前記印刷要求ジョブに従って印刷を実行して排紙トレイに出力紙を出力する印刷実行手段と、前記排紙トレイに前記出力紙があるか否かを検知する出力紙検知手段と、前記出力紙検知手段が排紙トレイから出力紙が取り除かれたことを検知した場合、取り除かれた出力紙の中に複数の印刷要求に対する印刷物が混合している可能性があるか否かを判定する印刷物混合判定手段と、前記印刷物混合判定手段が、取り除かれた出力紙の中に複数の印刷要求に対する印刷物が混合している可能性があると判定した場合、警告情報を出力する印刷物混合警告手段とを備えることを特徴とする。